【手続補正書】
【提出日】平成19年6月22日(2007.6.22)
【手続補正１】
【補正対象書類名】明細書
【補正対象項目名】特許請求の範囲
【補正方法】変更
【補正の内容】
【特許請求の範囲】
【請求項１】  少なくとも結着樹脂、着色剤及びワックスを含有するトナーにおいて、
該結着樹脂は、ビニル系重合体ユニットとポリエステルユニットを有するハイブリッド樹脂を少なくとも有し、
該結着樹脂は、構成モノマーとして、少なくとも三価以上の多価カルボン酸類またはその無水物を有し、
該トナーのＴＨＦ可溶成分中の分子量１万未満の成分における、全ポリエステル成分を構成するモノマーユニットを基準とする三価以上の多価カルボン酸類のユニット及びその無水物のユニットの総含有量Ｗ１（ｍｏｌ％）と、該トナーのＴＨＦ可溶成分中の分子量１万以上の成分における、全ポリエステル成分を構成するモノマーユニットを基準とする三価以上の多価カルボン酸類のユニット及びその無水物のユニットの総含有量Ｗ２（ｍｏｌ％）とは、下記関係
０≦Ｗ１＜３０
０＜Ｗ２＜５０
Ｗ２＞Ｗ１
を満足し、
該トナーは、該トナーのＴＨＦ可溶分のＧＰＣの分子量分布において、分子量１万未満の成分の含有量（Ｍ１）が４０〜７０質量％、分子量１万乃至５万の成分の含有量（Ｍ２）が２５〜５０質量％、分子量５万を超える成分の含有量（Ｍ３）が２〜２５質量％であり、分子量１０万以上の成分の含有量（Ｍ４）が１０質量％未満であり、且つＭ１≧Ｍ２＞Ｍ３を満足することを特徴とするトナー。
【請求項２】  該結着樹脂は、（ｉ）ビニル系重合体ユニット及びポリエステルユニットを有するハイブリッド樹脂Ａと、ビニル系重合体ユニット及びポリエステルユニットを有するハイブリッド樹脂Ｂとの混合物、（ｉｉ）ポリエステル樹脂と、ビニル系重合体ユニット及びポリエステルユニットを有するハイブリッド樹脂との混合物、（ｉｉｉ）ビニル系樹脂と、ビニル系重合体ユニット及びポリエステルユニットを有するハイブリッド樹脂との混合物、及び（ｉｖ）ポリエステル樹脂と、ビニル系樹脂と、ビニル系重合体ユニット及びポリエステルユニットを有するハイブリッド樹脂との混合物、からなるグループから選択される混合物であることを特徴とする請求項ｌに記載のトナー。
【請求項３】  該総含有量Ｗ１と該総含有量Ｗ２とは、下記関係
１＜Ｗ１＜２５
２＜Ｗ２＜３０
を満足することを特徴とする請求項１又は２に記載のトナー。
【請求項４】  該総含有量Ｗ１と該総含有量Ｗ２とは、下記関係
３≦Ｗ１＜２０
３＜Ｗ２≦２０
を満足することを特徴とする請求項１又は２に記載のトナー。
【講求項５】  該総含有量Ｗ１と該総含有量Ｗ２とは，下記関係
０＜Ｗ２−Ｗ１＜１０
を満足することを特徴とする請求項１乃至４のいずれかに記載のトナー。
【請求項６】  該総含有量Ｗ１と該総含有量Ｗ２とは，下記関係
０．ｌ×Ｗ２＜Ｗ２−Ｗ１＜０．５×Ｗ２
を満足することを特徴とする請求項１乃至４のいずれかに記載のトナー。
【請求項７】  該結着樹脂は、ビニル系重合体ユニット及びポリエステルユニットを有するハイブリッド樹脂Ａと、ビニル系重合体ユニット及びポリエステルユニットを有するハイブリッド樹脂Ｂとの混合物を有し、該トナーのＴＨＦ不溶分の含有量が２５質量％以下であることを特徴とする請求項１乃至６のいずれかに記載のトナー。
【請求項８】  該結着樹脂は、ビニル系重合体ユニット及びポリエステルユニットを有するハイブリッド樹脂Ａと、ビニル系重合体ユニット及びポリエステルユニットを有するハイブリッド樹脂Ｂとの混合物を有し、該トナーのＴＨＦ不溶分の含有量が１〜１５質量％であることを特徴とする請求項１乃至６のいずれかに記載のトナー。
【請求項９】  該結着樹脂は、ポリエステル樹脂と、ビニル系重合体ユニット及びポリエステルユニットを有するハイブリッド樹脂との混合物を有し、該トナーのＴＨＦ不溶分の含有量が１〜５０質量％であることを特徴とする請求項１乃至６のいずれかに記載のトナー。
【請求項１０】  該結着樹脂は、ポリエステル樹脂と、ビニル系重合体ユニット及びポリエステルユニットを有するハイブリッド樹脂との混合物を有し、該トナーのＴＨＦ不溶分の含有量が２〜４０質量％であることを特徴とする請求項１乃至６のいずれかに記載のトナー。
【請求項１１】  該トナーのＴＨＦ可溶成分中の分子量１万未満の成分におけるビニル系重合体ユニットの含有率Ｗａ（質量％）と、ＴＨＦ可溶成分中の分子量１万以上の成分におけるビニル系重合体ユニットの含有率Ｗｂ（質量％）とは、下記関係
｜Ｗａ−Ｗｂ｜＜２０
を満足することを特徴とする請求項１に記載のトナー。
【請求項１２】  該トナーのＴＨＦ可溶成分中の分子量１万未満の成分におけるビニル系重合体ユニットの含有率Ｗａ（質量％）と、ＴＨＦ可溶成分中の分子量１万以上の成分におけるビニル系重合体ユニットの含有率Ｗｂ（質量％）とは、下記関係
０＜Ｗａ＜５０
０＜Ｗｂ＜３０
を満足することを特徴とする請求項１に記載のトナー。
【請求項１３】  該トナーのＴＨＦ可溶成分中の分子量１万未満の成分におけるビニル系重合体ユニットの含有率Ｗａ（質量％）と、ＴＨＦ可溶成分中の分子量１万以上の成分におけるビニル系重合体ユニットの含有率Ｗｂ（質量％）とは、下記関係
５＜Ｗａ＜３０
０＜Ｗｂ＜２０
を満足することを特徴とする請求項１に記載のトナー。
【請求項１４】  該トナーのＴＨＦ可溶成分中の分子量１万未満の成分におけるビニル系重合体ユニットの含有率Ｗａ（質量％）と、ＴＨＦ可溶成分中の分子量１万以上の成分におけるビニル系重合体ユニットの含有率Ｗｂ（質量％）とは、下記閲係
Ｗａ≧Ｗｂ
を満足することを特徴とする請求項１に記載のトナー。
【請求項１５】  該トナーは、該結着樹脂としての、ビニル系重合体ユニット及びポリエステルユニットを有するハイブリッド樹脂を有する樹脂組成物と、着色剤及びワックスを少なくとも有する混合物を溶融混練する工程を経て製造されたものであり、
該樹脂組成物は、構成モノマーとして、少なくとも三価以上の多価カルボン酸類及びその無水物を有し、
該樹脂組成物のＴＨＦ可溶成分中の分子量１万未満の成分における、全ポリエステル成分を構成するモノマーユニットを基準とする三価以上の多価カルボン酸類のユニット及びその無水物のユニットの総含有量ｗ１（ｍｏｌ％）と、該樹脂組成物のＴＨＦ可溶成分中の分子量１万以上の成分における、全ポリエステル成分を構成するモノマーユニットを基準とする三価以上の多価カルボン酸類のユニット及びその無水物のユニットの総含有量ｗ２（ｍｏｌ％）とは、下記関係
０≦ｗ１＜３０
０＜ｗ２＜５０
ｗ１＞ｗ２
を満たし、
該樹脂組成物は、該樹脂組成物のＴＨＦ可溶分のＧＰＣの分子量分布において、分子量１万未満の成分の含有量（ｍ１）が４０〜７５質量％、分子量１万乃至５万の成分の含有量（ｍ２）が２３〜４５質量％、分子量５万を超える成分の含有量（ｍ３）が２〜２５質量％、分子量１０万以上の成分の含有量（ｍ４）が１３質量％未満であり、且つｍ１≧ｍ２＞ｍ３を満足することを特徴とする請求項１乃至１４のいずれかに記載のトナー。
【請求項１６】  該総含有量ｗ１と該総含有量ｗ２とは、下記関係
１＜ｗ１＜２５
２＜ｗ２＜３０
を満たすことを特徴とする請求項１５に記載のトナー。
【請求項１７】  該総含有量ｗ１と該総含有量ｗ２とは、下記関係
３≦ｗ１＜２０
３＜ｗ２≦２０
を満たすことを特徴とする請求項１５に記載のトナー。
【請求項１８】  該総含有量ｗ１と該総含有量ｗ２とは、下記関係
０＜ｗ２−ｗ１＜１０
を満たすことを特徴とする請求項１５乃至１７のいずれかに記載のトナー。
【請求項１９】  該樹脂組成物は、該樹脂組成物のＴＨＦ可溶分のＧＰＣの分子量分布において、分子量１万未満の成分の含有量（ｍ１）が５０〜７５質量％、分子量１万乃至５万の成分の含有量（ｍ２）が２３〜４５質量％、分子量５万を超える成分の含有量（ｍ３）が２〜２５質量％、分子量１０万以上の成分の含有量（ｍ４）が１０質量％未満であり、且つｍ１≧ｍ２＞ｍ３＞ｍ４を満足することを特徴とする請求項１５乃至１８のいずれかに記載のトナー。
【請求項２０】  該結着樹脂として、ビニル系重合体ユニット及びポリエステルユニットを有するハイブリッド樹脂Ａと、ビニル系重合体ユニット及びポリエステルユニットを有するハイブリッド樹脂Ｂとの混合物である樹脂組成物を有し、該樹脂組成物のＴＨＦ不溶分の含有量が３０質量％以下であることを特徴とする請求項１５乃至１９のいずれかに記載のトナー。
【請求項２１】  該結着樹脂として、ビニル系重合体ユニット及びポリエステルユニットを有するハイブリッド樹脂Ａと、ビニル系重合体ユニット及びポリエステルユニットを有するハイブリッド樹脂Ｂとの混合物である樹脂組成物を有し、該樹脂組成物のＴＨＦ不溶分の含有量が１〜２０質量％であることを特徴とする請求項１５乃至１９のいずれかに記載のトナー。
【請求項２２】  該結着樹脂として、ポリエステル樹脂とビニル系重合体ユニット及びポリエステルユニットを有するハイブリッド樹脂との混合物である樹脂組成物を有し、該樹脂組成物のＴＨＦ不溶分の含有量が１〜５０質量％であることを特徴とする請求項１５乃至１９のいずれかに記載のトナー。
【請求項２３】  該結着樹脂として、ポリエステル樹脂とビニル系重合体ユニット及びポリエステルユニットを有するハイブリッド樹脂との混合物である樹脂組成物を有し、該樹脂組成物のＴＨＦ不溶分の含有量は、２〜４０質量％であることを特徴とする請求項１５乃至１９のいずれかに記載のトナー。
【請求項２４】  該トナーは、示差熱分析（ＤＳＣ）による昇温時の吸熱ピークを６０乃至１２０℃に一つ以上有することを特徴とする請求項１乃至２３のいずれかに記載のトナー。
【請求項２５】  該ワックスは、示差熱分析（ＤＳＣ）による昇温時の吸熱ピークを６０乃至１２０℃に一つ以上有することを特徴とする請求項ｌ乃至２４のいずれかに記載のトナー。
【請求項２６】  該ワックスは、ＧＰＣによる分子量分布において、数平均分子量（Ｍｎ）と重量平均分子量（Ｍｗ）との比（Ｍｗ／Ｍｎ）が１．０〜２．０であることを特徴とする請求項１乃至２４のいずれかに記載のトナー。
【請求項２７】  該トナーは、該結着樹脂１００質量部に対し、金属化合物を０．１〜１０質量部含むことを特徴とする請求項１乃至２６のいずれかに記載のトナー。
【請求項２８】  該金属化合物が、芳香族ヒドロキシカルボン酸化合物であることを特徴とする請求項２７に記載のトナー。
【請求項２９】  該金属化合物が、アルミニウムの芳香族ヒドロキシカルボン酸化合物であることを特徴とする請求項２７に記載のトナー。
【請求項３０】  該金属化合物が、モノアゾ化合物の鉄錯体であることを特徴とする請求項２７に記載のトナー。
【請求項３１】  該トナーは、該金属化合物として、アルミニウムの芳香族ヒドロキシカルボン酸化合物とモノアゾ化合物の鉄錯体との混合物を含有することを特徴とする請求項２７に記載のトナー。
【請求項３２】  該トナーは、該着色剤として磁性体を含有する磁性トナーであり、該磁性体の含有量が結着樹脂１００質量部に対して、３０〜２００質量部であることを特徴とする請求項１乃至３１のいずれかに記載のトナー。
【請求項３３】  ビニル系重合体ユニット及びポリエステルユニットを有するハイブリッド樹脂を有するトナー用樹脂組成物であり、
該樹脂組成物は、構成モノマーとして、少なくとも三価以上の多価カルボン酸類及びその無水物を有し、
該樹脂組成物のＴＨＦ可溶成分中の分子量１万未満の成分における、全ポリエステル成分を構成するモノマーユニットを基準とする三価以上の多価カルボン酸類のユニット及びその無水物のユニットの総含有量ｗ１（ｍｏｌ％）と、該樹脂組成物のＴＨＦ可溶成分中の分子量１万以上の成分における、全ポリエステル成分を構成するモノマーユニットを基準とする三価以上の多価カルボン酸類のユニット及びその無水物のユニットの総含有量ｗ２（ｍｏｌ％）とは、下記関係
０≦ｗ１＜３０
０＜ｗ２＜５０
ｗ１＞ｗ２
を満たし、
該樹脂組成物は、該樹脂組成物のＴＨＦ可溶分のＧＰＣの分子量分布において、分子量１万未満の成分の含有量（ｍ１）が４０〜７５質量％、分子量１万乃至５万の成分の含有量（ｍ２）が２３〜４５質量％、分子量５万を超える成分の含有量（ｍ３）が２〜２５質量％、分子量１０万以上の成分の含有量（ｍ４）が１３質量％未満であり、且つｍ１≧ｍ２＞ｍ３を満足することを特徴とするトナー用樹脂組成物。
【請求項３４】  該樹脂組成物は（Ｉ）ハイブリッド樹脂Ａとハイブリッド樹脂Ｂとの混合物、（ＩＩ）ポリエステル樹脂とハイブリッドとの混合物、（ＩＩＩ）ビニル系樹脂とハイブリッド樹脂との混合物、及び（ＩＶ）ポリエステル樹脂とビニル系樹脂とハイブリッド樹脂との混合物、からなるグループから選択される混合物であることを特徴とする請求項３３に記載のトナー用樹脂組成物。
【請求項３５】  該総含有量ｗ１と該総含有量ｗ２とは、下記関係
１＜ｗ１＜２５
２＜ｗ２＜３０
を満たすことを特徴とする請求項３３又は３４に記載のトナー用樹脂組成物。
【請求項３６】  該総含有量ｗ１と該総含有量ｗ２とは、下記関係
３≦ｗ１＜２０
３＜ｗ２＜２０
を満たすことを特徴とする請求項３３又は３４に記載のトナー用樹脂組成物。
【請求項３７】  該総含有量ｗ１と該総含有量ｗ２とは、下記関係
０＜ｗ２−ｗ１＜１０
を満足することを特徴とする請求項３３乃至３６のいずれかに記載のトナー用樹脂組成物。
【請求項３８】  該樹脂組成物は、該樹脂組成物のＴＨＦ可溶分のＧＰＣの分子量分布において、分子量１万未満の成分の含有量（ｍ１）が５０〜７５質量％、分子量１万乃至５万の成分の含有量（ｍ２）が２３〜４５質量％、分子量５万を超える成分の含有量（ｍ３）が２〜２５質量％、分子量１０万以上の成分の含有量（ｍ４）が１０質量％未満であり、且つｍ１≧ｍ２＞ｍ３＞ｍ４を満足することを特徴とする請求項３３乃至３７のいずれかに記載のトナー用樹脂組成物。
【請求項３９】  該樹脂組成物は、ビニル系重合体ユニット及びポリエステルユニットを有するハイブリッド樹脂Ａと、ビニル系重合体ユニット及びポリエステルユニットを有するハイブリッド樹脂Ｂとの混合物を有し、該樹脂組成物のＴＨＦ不溶分の含有量が３０質量％以下であることを特徴とする請求項３３乃至３８のいずれかに記載のトナー用樹脂組成物。
【請求項４０】  該樹脂組成物は、ビニル系重合体ユニット及びポリエステルユニットを有するハイブリッド樹脂Ａと、ビニル系重合体ユニット及びポリエステルユニットを有するハイブリッド樹脂Ｂとの混合物を有し、該樹脂組成物のＴＨＦ不溶分の含有量が１〜２０質量％であることを特徴とする請求項３３乃至３８のいずれかに記載のトナー用樹脂組成物。
【請求項４１】  該結着樹脂として、ポリエステル樹脂とビニル系重合体ユニット及びポリエステルユニットを有するハイブリッド樹脂との混合物を有し、該樹脂組成物のＴＨＦ不溶分の含有量が１〜５０質量％であることを特徴とする請求項３３乃至３８のいずれかに記載のトナー用樹脂組成物。
【請求項４２】  該樹脂組成物は、ポリエステル樹脂とビニル系重合体ユニット及びポリエステルユニットを有するハイブリッド樹脂との混合物を有し、該樹脂組成物のＴＨＦ不溶分の含有量が２〜４０質量％であることを特徴とする請求項３３乃至３８のいずれかに記載のトナー用樹脂組成物。
【手続補正２】
【補正対象書類名】明細書
【補正対象項目名】００２０
【補正方法】変更
【補正の内容】
【００２０】
すなわち、本発明は、少なくとも結着樹脂、着色剤及びワックスを含有するトナーにおいて、該結着樹脂は、ビニル系重合体ユニットとポリエステルユニットを有するハイブリッド樹脂を少なくとも有し、該結着樹脂は、構成モノマーとして、少なくとも三価以上の多価カルボン酸類またはその無水物を有し、該トナーのＴＨＦ可溶成分中の分子量１万未満の成分における、全ポリエステル成分を構成するモノマーユニットを基準とする三価以上の多価カルボン酸類のユニツト及びその無水物のユニットの総含有量Ｗ１（ｍｏｌ％）と、該トナーのＴＨＦ可溶成分中の分子量１万以上の成分における、全ポリエステル成分を構成するモノマーユニットを基準とする三価以上の多価カルボン酸類のユニット及びその無水物のユニットの総含有量Ｗ２（ｍｏｌ％）とは、下記関係
０≦Ｗ１＜３０
０＜Ｗ２＜５０
Ｗ２＞Ｗ１
を満足し、該トナーは、該トナーのＴＨＦ可溶分のＧＰＣの分子量分布において、分子量１万未満の成分の含有量（Ｍ１）が４０〜７０質量％、分子量１万乃至５万の成分の含有量（Ｍ２）が２５〜５０質量％、分子量５万を超える成分の含有量（Ｍ３）が２〜２５質量％であり、分子量１０万以上の成分の含有量（Ｍ４）が１０質量％未満であり、且つＭ１≧Ｍ２＞Ｍ３を満足することを特徴とするトナーに関する。
【手続補正３】
【補正対象書類名】明細書
【補正対象項目名】００２１
【補正方法】変更
【補正の内容】
【００２１】
さらに、本発明は、ビニル系重合体ユニット及びポリエステルユニットを有するハイブリッド樹脂を有するトナー用樹脂組成物であり、該樹脂組成物は、構成モノマーとして、少なくとも三価以上の多価カルボン酸類及びその無水物を有し、該樹脂組成物のＴＨＦ可溶成分中の分子量１万未満の成分における、全ポリエステル成分を構成するモノマーユニットを基準とする三価以上の多価カルボン酸類のユニット及びその無水物のユニットの総含有量（ｍｏｌ％）、該樹脂組成物のＴＨＦ可溶成分中の分子量１万以上の成分における、全ポリエステル成分を構成するモノマーユニットを基準とする三価以上の多価カルボン酸類のユニット及びその無水物のユニットの総含有量ｗ２（ｍｏｌ％）とは、下記関係
０≦ｗ１＜３０
０＜ｗ２＜５０
ｗ１＞ｗ２
を満たし、該樹脂組成物は、該樹脂組成物のＴＨＦ可溶分のＧＰＣの分子量分布において、分子量１万未満の成分の含有量（ｍ１）が４０〜７５質量％、分子量１万乃至５万の成分の含有量（ｍ２）が２３〜４５質量％、分子量５万を超える成分の含有量（ｍ３）が２〜２５質量％、分子量１０万以上の成分の含有量（ｍ４）が１３質量％未満であり、且つｍ１≧ｍ２＞ｍ３を満足することを特徴とするトナー用樹脂組成物に関する。
【手続補正４】
【補正対象書類名】明細書
【補正対象項目名】００２３
【補正方法】変更
【補正の内容】
【００２３】
本発明において、総含有量Ｗ１及びＷ２（ｗ１及びｗ２）は、三価以上の多価カルボン酸類のユニット又はその無水物のユニットの一方しか含有していない場合には、含有している一方の含有量を意味し、両方含有している場合には、両方の含有量の総量を意味する。